【事件の表示】
　特願２０１０−１０８９９２「マスク用シート」拒絶査定不服審判事件〔平成２３年１１月２４日出願公開、特開２０１１−２３４９１０〕について、次のとおり審決する。
【結　論】
　本件審判の請求は、成り立たない。
【理　由】
第１　手続の経緯
　本願は、平成２２年５月１１日の出願であって、平成２５年５月９日に手続補正書が提出され、平成２５年５月３０日付けで拒絶理由が通知され、平成２５年７月２５日に意見書が提出されたが、平成２５年１０月８日付けで拒絶査定がされ、これに対し、平成２６年１月８日に拒絶査定不服審判が請求されると同時に手続補正書が提出され、平成２６年２月１４日に手続補正書（方式）が提出されたものである。
　
第２　平成２６年１月８日付けの手続補正についての補正の却下の決定
　
［補正の却下の決定の結論］
　平成２６年１月８日付けの手続補正を却下する。
　
［理由］
１　本件補正
（１）本件補正の内容
　平成２６年１月８日に提出された手続補正書による手続補正（以下、「本件補正」という。）は、特許請求の範囲については、下記アに示す本件補正前の（すなわち、平成２５年５月９日に提出された手続補正書により補正された）請求項１ないし６を、下記イに示す請求項１ないし３へと補正するものである。
　
ア　「【請求項１】
　シリコン系化合物およびカチオン系帯電防止剤を含むコーティング剤で被覆した不織布からなるマスク用シートであって、不織布の目付が４０ｇ／ｍ２以下であるマスク用シート。
　　【請求項２】
　シリコン系化合物がポリメチルクロロシロキサンおよび二酸化ケイ素の少なくともいずれか１種である請求項１に記載のマスク用シート。
　　【請求項３】
　カチオン系帯電防止剤がオクタデシルアミン酢酸塩である請求項１または２に記載のマスク用シート。
　　【請求項４】
　不織布の目付が３５ｇ／ｍ２以下である請求項１〜３のいずれか１項に記載のマスク用シート。
　　【請求項５】
　鼻および口を含む顔面の対象部を覆う本体部と、該本体部の左右側部に設けられた耳に係止するための耳掛け部とを備える花粉付着防止マスクであって、該本体部の最外層が請求項１〜４のいずれか１項に記載のマスク用シートにより形成されていることを特徴とする花粉付着防止マスク。
　　【請求項６】
　本体部が、三層以上の層構造を有し、最外層および最内層の間に積層される中間層の一つがメルトブロー不織布により形成されていることを特徴とする請求項５に記載の花粉付着防止マスク。」
　
イ　「【請求項１】
　シリコン系化合物およびカチオン系帯電防止剤を含むコーティング剤で被覆した不織布からな
り、花粉の付着を防止するための
前記
３５
　　【請求項２】
　シリコン系化合物がポリメチルクロロシロキサンおよび二酸化ケイ素の少なくともいずれか１種である請求項１に記載のマスク用シート。
　　【請求項３】
　カチオン系帯電防止剤がオクタデシルアミン酢酸塩である請求項１または２に記載のマスク用シート。」
（下線は、本件補正箇所を示すために、請求人が付したものである。）
　
（２）本件補正の目的要件について
　本件補正後の請求項１についての本件補正は、本件補正前の請求項１の発明特定事項である「マスク用シート」について、「
花粉の付着を防止するための
前記
３５
　そして、本件補正前の請求項１ないし６に記載された発明と本件補正後の請求項１ないし３に記載される発明の産業上の利用分野及び解決しようとする課題が同一であるから、本件補正は、特許法第１７条の２第５項第２号に規定される特許請求の範囲の減縮を目的とする補正を含むものである。
　また、本件補正は、本件補正前の請求項４ないし６を削除するものであるから、本件補正は、特許法第１７条の２第５項第１号に規定される請求項の削除を目的とする補正を含むものである。
　そこで、本件補正後の請求項１に係る発明（以下、「本願補正発明」という。）が、特許出願の際独立して特許を受けることができるものであるかについて以下に検討する。
　
２　刊行物
（１）刊行物の記載
　原査定の拒絶理由に引用された刊行物である特開２００４−３４６４６７号公報（以下、「引用文献」という。）には、次の事項が記載されている。なお、下線は、理解の一助のために当審で付したものである。
　
ア　「【要約】
【課題】
繊維布帛に、その風合い、軽量性などを損なうことなく、花粉が付着するのを防止する特性とともに、たとえ花粉が付着しても、軽く振り払うくらいで、花粉が簡単に離脱する特性を付与する
【解決手段】
繊維布帛の表面に水分散性カチオン性シリコーン系樹脂を含む被膜を形成する
この被膜は、花粉を付着し難く、たとえ花粉が付着したとしても、付着した花粉を容易に離脱させる
したがって、屋内に入る際にこの繊維布帛を軽く振れば、花粉を簡単に離脱させることができるので、屋内に花粉を持ち込むことが著しく少なくなる
　
イ 「【特許請求の範囲】
【請求項１】
繊維布帛の表面の全面または一部に、水に分散可能なカチオン性シリコーン系樹脂を含む被膜が形成されていることを特徴とする花粉防止布帛
【請求項２】
被膜がさらにカチオン性界面活性剤および非イオン性界面活性剤から選ばれる１種または２種以上の界面活性剤を含むことを特徴とする請求項１記載の花粉防止布帛。
【請求項３】
被膜がさらに帯電防止剤
を含む
（中略）
【請求項９】
繊維布帛が織物、編物または不織布である
【請求項１０】
繊維布帛がポリエステル繊維、セルロース繊維、アセテート繊維およびナイロン繊維から選ばれる１種または２種以上の繊維を含む織物、編物または不織布である
　
ウ　「【０００１】
【発明の属する技術分野】
本発明は、花粉防止布帛に関する。」（段落【０００１】）
　
エ　「【０００２】
【従来の技術】
最近の食生活、生活習慣、生活環境などの急激な変化とともに、花粉アレルギー患者の数は増加する一方であり、大きな社会問題にもなっている。花粉アレルギーの症状を軽減するには、花粉を吸い込むのを極力避け、眼、鼻腔内の粘膜、皮膚などに花粉を付着させないことが必要である。そのためには、眼鏡、マスク、帽子などの着用、帰宅時のうがい、洗顔などが推奨され、また
衣服から花粉を振り落とすこと
も行われている
【０００３】
このような現状に鑑み、
マスク
【０００４】
たとえば、布帛の組織を高密度化することによって、花粉が布帛を通過するのを防止できる。しかしながら、高密度化を行っても、花粉が布帛に付着するのを防ぐことはできず、しかも付着した花粉は屋内に入る際に振り払った位では布帛から脱落し難いので、屋内に花粉を持ち込んでしまう。
【０００５】
また、花粉の直径（たとえばスギ花粉は２０〜３０μｍ程度）よりも細い繊維径を有する極細繊維からなる布帛が知られている。この布帛は、花粉が布帛を通過するのを防止するという点では有効である。しかしながら、この布帛も高密度化布帛と同様の欠点を有している。
【０００６】
また、花粉が布帛に付着する原因になる静電気の発生を防止するために、帯電防止加工を施した布帛が知られている
【０００７】
また、高分子繊維からなる布帛に、シリコーン系樹脂からなる被膜を形成し、さらに帯電処理を施してなる、花粉アレルギー用の防塵マスクが知られている（たとえば、特許文献１参照）
【０００８】
また、ポリエステル系繊維からなる布帛の表面に、チタン含有複合酸化物と、アルキルシリケート系樹脂、シリコーン系樹脂およびフッ素系樹脂から選ばれる１種または２種以上の樹脂とからなる被膜を形成したポリエステル系布帛が知られている（たとえば、特許文献２参照）。そして、シリコーン系樹脂としては、一般的な撥水性シリコーン系樹脂とともに、水酸基、カルボキシル基、アミノ基、アミド基などの親水性基を有する吸水性シリコーン系樹脂、エチレングリコールなどを付加した吸水性シリコーン系樹脂などが記載されている。しかしながら、特許文献２では、ポリエステル系布帛に消臭性、抗菌性などを有するチタン含有複合酸化物を付着させるにあたり、バインダ樹脂として前述の樹脂を使用しているにすぎない。
【０００９】
【特許文献１】
特開平１０−２２５５２６号公報
【特許文献２】
特開２００２−６９８３９号公報」（段落【０００２】ないし【０００９】）
　
オ　「【００１０】
【発明が解決しようとする課題】
本発明の目的は、花粉が付着しにくく、花粉が付着しても容易に脱落し、しかも風合いが良好で、軽量であり、各種衣料品の材料として好適に使用できる花粉防止布帛を提供することである。」（段落【００１０】）
　
カ　「【００１１】
【課題を解決するための手段】
本発明は、繊維布帛の表面の全面または一部に、水に分散可能なカチオン性シリコーン系樹脂を含む被膜が形成されていることを特徴とする花粉防止布帛である
【００１２】
本発明に従えば、繊維布帛の表面に、水に分散可能なカチオン性シリコーン系樹脂（以後「水分散性カチオン性シリコーン系樹脂」と称す）からなる被膜を形成することによって、繊維布帛が本来有している風合い、軽量性などを損なうことなく、花粉が付着し難く、かつ花粉が付着しても容易に脱落する花粉防止布帛を得ることができる。
【００１３】
したがって本発明の花粉防止布帛は、各種の衣料品、マスク、眼帯、包帯などの医療補助品などの材料として好適に使用できる
さらに本発明の花粉防止布帛からなる衣料品、医療補助品などは、花粉が付着し難く、たとえ花粉が付着しても、振り払うことなどによって容易に脱落するので、屋内に花粉を持ち込むことは非常に少なくなる
【００１４】
また本発明の花粉防止布帛は、被膜がさらにカチオン性界面活性剤および非イオン性界面活性剤から選ばれる１種または２種以上の界面活性剤を含むことを特徴とする。
【００１５】
本発明に従えば、水分散性カチオン性シリコーン系樹脂からなる被膜に、さらにカチオン性界面活性剤および非イオン性界面活性剤から選ばれる界面活性剤を含有させることによって、本発明の花粉防止布帛の優れた効果である、花粉の付着性の低下および離脱性（花粉の布帛からの脱落性）の向上が一層顕著になる。
【００１６】
また本発明の花粉防止布帛は、被膜がさらに帯電防止剤および／または撥水性合成樹脂とを含むことを特徴とする
【００１７】
本発明に従えば、水分散性カチオン性シリコーン系樹脂からなる被膜に、さらに帯電防止剤を含有させることによって、本発明の花粉防止布帛における、花粉の付着性が一層低下し、かつ花粉の離脱性がさらに向上する
【００１８】
また本発明の花粉防止布帛は、前述の水分散性カチオン性シリコーン系樹脂の繊維布帛への付着量が繊維布帛の全重量の０．０５〜５重量％であることを特徴とする。
【００１９】
本発明に従えば、水分散性カチオン性シリコーン系樹脂の繊維布帛への付着量は、繊維布帛の全重量の０．０５〜５重量％であることが好ましい。これによって、繊維布帛が本来有する風合いおよび軽量性がもっとも良好に保持され、かつ花粉の付着防止性および離脱性が一層向上する。
【００２０】
また本発明の花粉防止布帛は、前述の界面活性剤の繊維布帛への付着量が繊維布帛の全重量の０．１〜３重量％であることを特徴とする。
【００２１】
本発明に従えば、界面活性剤の繊維布帛への付着量が、繊維布帛の全重量の０．１〜３重量％であることが好ましい。これによって、界面活性剤を添加する効果が最大限に発揮される。
【００２２】
また本発明の花粉防止布帛は、前述の帯電防止剤の繊維布帛への付着量が繊維布帛の全重量の０．１〜２重量％であることを特徴とする。
【００２３】
本発明に従えば、帯電防止剤の繊維布帛への付着量は、繊維布帛の全重量の０．１〜２重量％であることが好ましい。これによって、帯電防止剤を添加する効果が最大限に発揮される。
【００２４】
また本発明の花粉防止布帛は、前述の撥水性合成樹脂の繊維布帛への付着量が繊維布帛の全重量の０．５〜５重量％であることを特徴とする。
【００２５】
本発明に従えば、撥水性合成樹脂の繊維布帛への付着量は、繊維布帛の全重量の０．５〜５重量％であることが好ましい。これによって、撥水性合成樹脂を添加する効果が最大限に発揮される。
【００２６】
また本発明の花粉防止布帛は、前述の撥水性合成樹脂がシリコーン系樹脂および／またはアクリル系樹脂であることを特徴とする。
【００２７】
本発明に従えば、撥水性合成樹脂は撥水性シリコーン系樹脂、撥水性アクリル樹脂またはこれらの混合物であることが好ましい。これによって、撥水性合成樹脂に望まれる効果が、一層高い水準で発揮される。
【００２８】
また本発明の花粉防止布帛は、前述の繊維布帛が織物、編物または不織布であることを特徴とする
【００２９】
また本発明の花粉防止布帛は、前述の繊維布帛がポリエステル繊維、セルロース繊維、アセテート繊維およびナイロン繊維から選ばれる１種または２種以上の繊維を含む織物、編物または不織布であることを特徴とする
【００３０】
本発明に従えば、本発明の花粉防止布帛の材料になる繊維布帛としては、織物、編物または不織布であることが好ましく、ポリエステル繊維、セルロース繊維、アセテート繊維およびナイロン繊維から選ばれる１種または２種以上の繊維を含む織物、編物または不織布であることが特に好ましい
これらの繊維布帛は耐用性に優れ、良好な染色性および風合いを有し、汎用性が高いので、各種衣料品、医療補助品などの材料として使用し易い
　
キ　「【００３１】
【発明の実施の形態】
本発明の花粉防止布帛は、繊維布帛の表面の一部または全面に、水分散性カチオン性シリコーン系樹脂を含む被膜が形成されている
【００３２】
また本発明の花粉防止布帛は、繊維布帛の表面の一部または全面に、水分散性カチオン性シリコーン系樹脂および界面活性剤を含む被膜が形成されている。
【００３３】
また本発明の花粉防止布帛は、繊維布帛の表面の一部または全面に、水分散性カチオン性シリコーン系樹脂、界面活性剤および
帯電防止剤
【００３４】
また本発明の花粉防止布帛は、繊維布帛の表面の一部または全面に、水分散性カチオン性シリコーン系樹脂、界面活性剤および撥水性合成樹脂とを含む被膜が形成されている。
【００３５】
また本発明の花粉防止布帛は、繊維布帛の表面の一部または全面に、水分散性カチオン性シリコーン系樹脂、界面活性剤、
帯電防止剤
【００３６】
本発明において、繊維布帛は、特に制限されることはなく、従来からこの分野で常用されているものを用いることができる
【００３７】
繊維布帛の形態は特に制限されないけれども、得られる花粉防止布帛の汎用性を向上させることなどを考慮すると、たとえば、織物、編物、不織布などが好ましい
不織布としては、たとえば、ニードルパンチ、サーマルボンド、ケミカルボンド、ステッチボンドなどの乾式法、パルプなどの湿式法、スパンボンド法、メルトブローン法、スパンレース法などによって製造される不織布などが挙げられる
【００３８】
繊維布帛を構成する繊維の形態としては特に制限されることはなく、たとえば、フィラメント糸、紡績糸、混紡糸、嵩高糸（伸縮性嵩高加工糸、非伸縮性嵩高加工糸など）、中空糸、被覆糸、コアヤーン、複合糸、扁平糸、異形断面糸、スプリット糸、混繊糸などが挙げられる。
【００３９】
繊維布帛を構成する繊維としては、合成繊維、天然繊維、再生繊維、半合成繊維などが挙げられる。合成繊維としては特に制限されることはなく、従来の合成繊維をいずれも使用でき、たとえば、ポリエステル繊維、ナイロン繊維、ポリウレタン繊維、アクリル繊維などが挙げられる。天然繊維としては、たとえば、木綿、羊毛、麻、セルロース繊維などが挙げられる。再生繊維としては、たとえば、レーヨン、キュプラなどが挙げられる。半合成繊維としては、たとえば、アセテート、トリアセテート、プロミックスなどが挙げられる。これらの繊維は１種を単独で使用できまたは２種以上を併用できる。これらの中でもポリエステル繊維、セルロース繊維、ナイロン繊維などの合成繊維、アセテート繊維などの半合成繊維などが好ましく、これらの繊維からなるダル糸、ＣＤポリエステルニット加工糸、スパンデックス繊維（たとえば商品名：エスパ、東洋紡績（株）製）などが特に好ましい。ダル糸の単繊度は通常０．１〜１０００デニール程度、好ましくは０．５〜５デニール程度である。ＣＤポリエステルニット加工糸の単繊度は通常０．５〜５００デニール程度、好ましくは１〜５デニール程度である。スパンデックス繊維の単繊度は通常０．１〜５００デニール程度、好ましくは０．５〜５デニール程度である。
【００４０】
繊維布帛の目付けは特に制限されることはなく、布帛の形態、布帛を構成する糸の材質、形態などに応じて広い範囲から適宜選択できる
　
ク　「【００４１】
繊維布帛の表面に花粉防止被膜を形成する水分散性カチオン性シリコーン系樹脂としては公知のものを使用でき、たとえば、公知のオルガノポリシロキサンにカチオン性基を導入することによって、水分散性が付与された変性オルガノポリシロキサンが挙げられる
　
ケ　「【００４３】
花粉防止被膜中に、水分散性カチオン性シリコーン系樹脂および界面活性剤とともに含まれる
帯電防止剤
帯電防止剤の具体例としては、たとえば、第４級アンモニウム塩、グアニジン系化合物、リン酸エステル塩、ポリエステル樹脂などが挙げられる
また市販の帯電防止剤を使用することもできる
その具体例としては、たとえば、エレナイト（商品名、非イオン性界面活性剤、グアニジン系化合物、高松油脂（株）製）、エレナスタットＫＥ１００（商品名、第４級アンモニウム塩、京浜化成（株）製）、デートロンＮ（商品名、リン酸エステル塩、日華化学（株）製）、コロモデルＷＬ−６（商品名、ポリエステル樹脂水分散物、高松油脂（株）製）などが挙げられる
　
コ　「【００５２】
このようにして得られる本発明の花粉防止布帛は、従来から繊維布帛が使用されるすべての用途に使用でき、特に、コート、アウターその他の各種衣料品、マスク、包帯、眼帯などの医療用補助品などに好適に使用できる
　
サ　「【００８５】
【発明の効果】
本発明によれば、繊維布帛の表面に水分散性カチオン性シリコーン系樹脂からなる被膜を形成することによって、繊維布帛が本来有している風合い、軽量性などを損なうことなく、花粉が付着し難く、かつ花粉が付着しても容易に脱落する花粉防止布帛を得ることができる
【００８６】
したがって本発明の花粉防止布帛は、コート、アウターその他の衣料品、マスク、眼帯、包帯などの医療補助品などの材料として好適に使用できる
さらに本発明の花粉防止布帛からなる衣料品、医療補助品などは、花粉が付着し難く、たとえ花粉が付着しても、軽く振り払うことなどによって容易に脱落するので、屋内に花粉を持ち込むことは非常に少なくなる
【００８７】
本発明によれば、水分散性カチオン性シリコーン系樹脂からなる被膜に、さらにカチオン性界面活性剤および非イオン性界面活性剤から選ばれる界面活性剤を含有させることによって、水分散性カチオン性シリコーン系樹脂による効果が向上する。
【００８８】
本発明によれば、水分散性カチオン性シリコーン系樹脂からなる被膜に、さらに帯電防止剤を含有させることによって、本発明の花粉防止布帛における、花粉の付着性が一層低下し、かつ花粉の離脱性がさらに向上する
【００８９】
本発明によれば、水分散性カチオン性シリコーン系樹脂からなる被膜に、さらに撥水性合成樹脂を含有させることによって、花粉の付着防止性および離脱性を損なうことなく、被膜の繊維布帛に対する付着強度、さらには花粉防止布帛の耐洗濯性、染色堅牢性などをも向上させることができる。」（段落【００８５】ないし【００８９】）
　
（２）引用文献の記載から分かること
シ　上記（１）アないしサの記載から、引用文献には、花粉が付着しにくく、花粉が付着しても容易に脱落する花粉防止布帛が記載されていることが分かる。
　
ス　上記（１）カ（【００１３】）、コ（段落【００５２】）及びサ（段落【００８６】）の記載から、引用文献に記載された花粉防止布帛は、マスクに適用できることが分かる。
　
セ　上記（１）キ、ク及びサの記載から、引用文献に記載された花粉防止布帛は、シリコーン系樹脂を含む被膜が形成されていることが分かる。なお、シリコーン系樹脂は、有機ケイ素化合物であるから、シリコン系化合物である。
　
ソ　上記（１）ケの記載から、引用文献に記載された花粉防止布帛は、第４級アンモニウム塩等の帯電防止剤を含む被膜が形成されていることが分かる。
　
タ　上記（１）カ（段落【００２８】ないし【００３０】）及びキ（段落【００３７】）の記載から、引用文献に記載された花粉防止布帛として、不織布が含まれることが分かる。
　
チ　上記（１）キ（段落【００３６】及び【００４０】）の記載から、引用文献に記載された花粉防止布帛の繊維布帛は、従来からこの分野（審決注；段落【００１３】の記載によれば、各種の衣料品、マスク、眼帯、包帯などの医療補助品）で常用されているものを用いることができ、繊維布帛の目付は特に制限されることはなく、布帛の形態、布帛を構成する糸の材質、形態などに応じて広い範囲から適宜選択できることが分かる。
　なお、上記段落【００４０】において、「布帛の目付けは、通常は５０〜５００ｇ／ｍ２程度、好ましくは１００〜３００ｇ／ｍ２程度である。」と記載されているのは、各種の衣料品の材料として使用されている布帛について述べたものと考えられる。
　
（３）引用文献に記載された発明
　上記（１）及び（２）並びに図面の記載を総合すると、引用文献には、次の発明（以下、「引用発明」という。）が記載されている。
　
「シリコーン系樹脂および第４級アンモニウム塩等の帯電防止剤を含む被膜が形成された不織布からなり、不織布の目付は適宜選択できる、花粉の付着を防止するためのマスク用繊維布帛。」
　
３　対比
　本願補正発明と引用発明とを対比すると、引用発明における「シリコーン系樹脂」は、有機ケイ素化合物であるから、本願補正発明における「シリコン系化合物」に相当する。
　同様に、「第４級アンモニウム塩等の帯電防止剤」は、第４級アンモニウム塩がカチオン系であることは技術常識であるから、本願補正発明における「カチオン系帯電防止剤」に相当する。
　また、引用発明における「被膜が形成された」は、その機能又は技術的意義からみて、本願補正発明における「コーティング剤で被覆した」に相当し、同様に、「マスク用繊維布帛」は「マスク用シート」に相当する。
　
　したがって、本願補正発明と引用発明とは、
＜一致点＞
「シリコン系化合物およびカチオン系帯電防止剤を含むコーティング剤で被覆した不織布からなり、花粉の付着を防止するためのマスク用シート。」
という点で一致し、次の点で相違する。
　
＜相違点＞
　マスク用シートに使用する不織布の目付に関して、本願補正発明においては、「目付が３５ｇ／ｍ２以下である」のに対し、引用発明においては、「目付は適宜選択できる」点（以下、「相違点」という。）。
　
４　判断
（１）相違点に関して
　引用文献に記載された花粉防止布帛の繊維布帛は、従来からこの分野（審決注；各種の衣料品、マスク、眼帯、包帯などの医療補助品）で常用されているものを用いることができ、繊維布帛の目付は特に制限されることはなく、布帛の形態、布帛を構成する糸の材質、形態などに応じて広い範囲から適宜選択できるものである（上記２（２）チを参照。）ところ、マスク用シートとして従来から常用されているものは、例えば目付２０〜５０ｇ／ｍ２ の不織布（特開２０１０−８２２７８号公報（平成２２年４月１５日出願公開）の段落【００１５】の記載を参照。）、目付３０ｇ／ｍ２ の不織布（特開昭６１−１０３４５４号公報の第２ページ右下欄第７ないし１５行の記載を参照。）、目付１０〜１００ｇ／ｍ２の不織布（特開平８−１７０２６２号公報の段落【０００８】の記載を参照。）、目付２０ｇ／ｍ２ 及び２５ｇ／ｍ２（特開２００９−１０６４６８号公報の段落【００２５】ないし【００２７】の記載を参照。）、目付１５〜２０ｇ／ｍ２（スパンボンド／メルトブロー複合不織布の場合）、２０〜７０ｇ／ｍ２（スパンボンド不織布の場合）、５０〜１５０ｇ／ｍ２（サーマルボンド不織布の場合）及び１０〜２０ｇ／ｍ２（メルトブロー不織布の場合）の不織布（特開２００５−１２４７７７号公報の段落【００２１】の記載を参照。）等であって、製造方法によっても異なるが、マスク用シートに使用する不織布の目付を「３５ｇ／ｍ２以下」の数値範囲とすることは、周知技術であるといえる（以下、「周知技術」という。）。
　してみれば、引用発明において、従来からこの分野で常用されているマスク用シートについての周知技術を参照して、目付を「３５ｇ／ｍ２以下」とする程度のことは、選択設計的事項であるか、当業者が通常の努力によりなし得た事項であって、格別困難なこととはいえない。
　
　なお、請求人は、平成２６年２月１４日付け手続補正書（方式）により補正された審判請求書において、「目付が
３５
　しかし、引用文献に記載された実施例４のものは、段落【００８３】の【表３】に記載されているとおり、付着防止性８１．４％、減少率９８．７％という優れた性能を示しており、本願補正発明のものが、引用発明に比べて、格別優れた性能を示すとはいえない。
　また、本願の【表１】（段落【００３５】）に記載された実施例は、明細書の段落【００１４】及び【００３０】の記載によれば、基材１（６０３５Ａ、三重テック株式会社製、材質：ポリエステル、目付：３５ｇ／ｍ２）、基材３（ＡＣ５０２０、旭化成せんい株式会社製、材質：ポリエステル、目付：２０ｇ／ｍ２）、及び基材４（Ｎ０５０２０、旭化成せんい株式会社製、材質：ナイロン、目付：２０ｇ／ｍ２）を、シリコン系化合物およびカチオン系帯電防止剤を含むコーティング剤で被覆し、マスク用シートを調製した場合のものであって、本願補正発明を、上記基材１、３及び４と異なる製造方法で製造した不織布に適用した場合及びポリエステルとナイロン以外の繊維（例えば、明細書の段落【００１１】に記載された「ポリプロピレン系繊維、レーヨン系繊維、アセテート系繊維、羊毛系繊維、コットン系繊維、ウレタン系繊維およびポリエチレン系繊維などからなる不織布」）に適用した場合にも優れた花粉付着防止の性能を示すとは、必ずしもいえない。
　また、本願補正発明の数値範囲には下限がないが、表１に示された目付２０ｇ／ｍ２よりも小さいもの（例えば、目付１ｇ／ｍ２のもの）が優れた花粉付着防止の性能を示すということも、必ずしもいえない。
　
　してみれば、引用発明において、周知技術を適用することにより、相違点１に係る本願補正発明の発明特定事項を得ることは、当業者が容易に想到できたことである。
　
　また、本願補正発明は、周知技術である、目付が３５ｇ／ｍ２以下の不織布からなるマスク用シートに対して、引用発明を適用することにより、当業者が容易になし得たものであるということもできる。
　
（２）効果について
　そして、本願補正発明を全体として検討しても、その作用効果は、引用発明及び周知技術から当業者が予測できる以上の格別なものではない。
　
（３）まとめ
　したがって、本願補正発明は、引用発明及び周知技術に基いて当業者が容易に発明をすることができたものであるから、特許法第２９条第２項の規定により特許出願の際独立して特許を受けることができないものである。
　
５　むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　
　よって、補正の却下の決定の結論のとおり決定する。
　
第３　本願発明について
　平成２６年１月８日付けの手続補正は上記のとおり却下されたので、本願の請求項１に係る発明（以下、「本願発明」という。）は、上記第２［理由］１（１）アのとおりのものである。
　
１　刊行物
　原査定の拒絶の理由に引用された刊行物である引用文献の記載及び引用発明については、上記第２［理由］２に記載したとおりである。
　
２　対比・判断
　本願発明は、実質的に、上記第２で検討した本願補正発明を拡張したものである。
　そうすると、本願発明を減縮した本願補正発明が、上記第２［理由］４で述べたとおり、当業者が容易に発明をすることができたものであるから、本願発明も、同様の理由により、引用発明及び周知技術に基いて当業者が容易に発明をすることができたものである。
　
３　むすび
　以上のとおり、本願発明は、引用発明及び周知技術に基いて当業者が容易に発明をすることができたものであるから、特許法第２９条第２項の規定により特許を受けることができない。
　
　よって、結論のとおり審決する。